(57)【要約】【課題】より正確な時刻信号を生成できる電波修正時計、制御方法及び制御プログラムを提供すること。【解決手段】標準電波に基づく受信信号と、第１基準電圧及び当該第１基準電圧より低い第２基準電圧との比較結果に基づいて時刻信号を生成する時刻信号生成部４３１を備える。時刻信号生成部４３１は、受信信号の電圧が第２基準電圧以下の場合は時刻信号をローレベルとし、当該電圧が第２基準電圧を超え第１設定時間内に第１基準電圧を超えた場合は、第２基準電圧を超えた時から時刻信号をハイレベルとし、第１基準電圧を超えない場合は、時刻信号をローレベルに維持し、受信信号の電圧が第１基準電圧以上の場合は、時刻信号をハイレベルとし、当該電圧が第１基準電圧を下回り更に第２設定時間内に第２基準電圧を下回った場合は、第１基準電圧を下回った時から時刻信号をローレベルとし、第２基準電圧を下回らない場合は、時刻信号をハイレベルに維持する。【選択図】図１
2012163360.tif 000002
【特許請求の範囲】
【請求項１】
標準電波を受信して時刻を修正する電波修正時計であって、
前記標準電波に基づく受信信号と、第１基準電圧、及び、当該第１基準電圧より電圧値が低い第２基準電圧との比較結果を出力する信号比較部と、
前記信号比較部の比較結果に基づいて時刻信号を生成する時刻信号生成部と、を備え、
前記時刻信号生成部は、
前記受信信号の電圧が前記第２基準電圧以下の場合は、前記時刻信号をローレベルとし、
前記受信信号の電圧が前記第２基準電圧以下の状態から上昇して当該第２基準電圧を超え、更に前記第２基準電圧を超えてから第１設定時間内に前記第１基準電圧を超えた場合は、前記第２基準電圧を超えたときから前記時刻信号をハイレベルとし、かつ、前記第１設定時間内に前記第１基準電圧を超えない場合は、前記時刻信号をローレベルに維持し、
前記受信信号の電圧が前記第１基準電圧以上の場合は、前記時刻信号をハイレベルとし、
前記受信信号の電圧が前記第１基準電圧以上の状態から低下して当該第１基準電圧を下回り、更に前記第１基準電圧を下回ってから第２設定時間内に前記第２基準電圧を下回った場合は、前記第１基準電圧を下回ったときから前記時刻信号をローレベルとし、かつ、前記第２設定時間内に前記第２基準電圧を下回らない場合は、前記時刻信号をハイレベルに維持する
ことを特徴とする電波修正時計。
【請求項２】
請求項１に記載の電波修正時計において、
前記信号比較部は、前記受信信号を前記第１基準電圧に基づいて二値化した第１信号と、前記受信信号を前記第２基準電圧に基づいて二値化した第２信号とを生成し、
前記時刻信号生成部は、
前記第１信号及び前記第２信号に基づいて、前記受信信号の電圧が前記第１基準電圧及び前記第２基準電圧を超えたか否か、並びに、当該受信信号の電圧が前記第１基準電圧及び前記第２基準電圧を下回ったか否かを判定するレベル判定部と、
前記レベル判定部による判定結果に基づいて、前記時刻信号を生成して出力する信号出力部と、を有する
ことを特徴とする電波修正時計。
【請求項３】
標準電波を受信して時刻を修正する電波修正時計を制御する制御方法であって、
当該電波修正時計が、
前記標準電波に基づく受信信号の電圧が第１基準電圧より低い第２基準電圧以下の場合は、ローレベルの時刻信号を生成し、
前記受信信号の電圧が前記第２基準電圧以下の状態から上昇して当該第２基準電圧を超え、更に前記第２基準電圧を超えてから第１設定時間内に前記第１基準電圧を超えた場合は、前記第２基準電圧を超えたときから前記時刻信号をハイレベルとし、かつ、前記第１設定時間内に前記第１基準電圧を超えない場合は、前記時刻信号をローレベルに維持し、
前記受信信号の電圧が前記第１基準電圧以上の場合は、ハイレベルの前記時刻信号を生成し、
前記受信信号の電圧が前記第１基準電圧以上の状態から低下して当該第１基準電圧を下回り、更に前記第１基準電圧を下回ってから第２設定時間内に前記第２基準電圧を下回った場合は、前記第１基準電圧を下回ったときから前記時刻信号をローレベルとし、かつ、前記第２設定時間内に前記第２基準電圧を下回らない場合は、前記時刻信号をハイレベルに維持する
ことを特徴とする制御方法。
【請求項４】
標準電波を受信して時刻を修正する電波修正時計により実行される制御プログラムであって、
前記電波修正時計に、
前記標準電波に基づく受信信号の電圧が第１基準電圧より低い第２基準電圧以下の場合は、ローレベルの時刻信号を生成させ、
前記受信信号の電圧が前記第２基準電圧以下の状態から上昇して当該第２基準電圧を超え、更に前記第２基準電圧を超えてから第１設定時間内に前記第１基準電圧を超えた場合は、前記第２基準電圧を超えたときから前記時刻信号をハイレベルとさせ、かつ、前記第１設定時間内に前記第１基準電圧を超えない場合は、前記時刻信号をローレベルに維持させ、
前記受信信号の電圧が前記第１基準電圧以上の場合は、ハイレベルの前記時刻信号を生成させ、
前記受信信号の電圧が前記第１基準電圧以上の状態から低下して当該第１基準電圧を下回り、更に前記第１基準電圧を下回ってから第２設定時間内に前記第２基準電圧を下回った場合は、前記第１基準電圧を下回ったときから前記時刻信号をローレベルとさせ、かつ、前記第２設定時間内に前記第２基準電圧を下回らない場合は、前記時刻信号をハイレベルに維持させる
ことを特徴とする制御プログラム。
【発明の詳細な説明】
【技術分野】
【０００１】
本発明は、電波修正時計、電波修正時計の制御方法及び制御プログラムに関する。
【背景技術】
【０００２】
従来、長波標準電波（以下、「標準電波」と略す場合がある）を受信して時刻情報を出力する受信回路を備え、当該時刻情報に基づいて、内部時刻情報を自動的に修正して表示する電波修正時計が知られている。このような電波修正時計に用いられる受信回路として、標準電波に基づく受信信号を所定の基準電圧について二値化して、時刻情報を取得する受信回路が知られている（例えば、特許文献１参照）。
【０００３】
この特許文献１に記載の受信回路では、それぞれ異なる４つの基準電圧を生成可能に構成され、電源電圧に基づいて、これら基準電圧から最適な基準電圧が選択される。そして、二値化コンパレーターにより構成された復調回路により、受信信号、及び、選択された基準電圧に基づいて、二値化信号（いわゆるＴＣＯ（Time Code Out）信号）が取得される。この二値化信号から、タイムコードデコード部により時刻情報が取得される。
【先行技術文献】
【特許文献】
【０００４】
【特許文献１】特開２００８−６０６６３号公報
【発明の概要】
【発明が解決しようとする課題】
【０００５】
しかしながら、特許文献１に記載の受信回路のように、選択された１つの基準電圧に基づいて受信信号を復調する受信回路では、正確な時刻信号（ＴＣＯ信号）を生成できないという問題がある。
すなわち、基準電圧が比較的高いと、受信信号がローレベルであるときにノイズの影響を受けにくく、復調信号の立ち下がりタイミングも実際の信号に近い位置となる。しかしながら、この場合、受信信号がハイレベルであるときに生成される復調信号に信号割れ（部分的なハイ／ローの切替）が生じ易い他、復調信号の立ち上がりタイミングが実際の信号に近くないという問題がある。
一方、基準電圧が比較的低いと、前述の信号割れは生じにくく、復調信号の立ち上がりタイミングも実際の信号に近い位置となる。しかしながら、この場合、受信信号がローレベルであるときにノイズの影響を受け易い他、復調信号の立ち下がりタイミングが実際の信号に近くないという問題がある。
このような問題から、より正確な時刻信号を生成できる構成が要望されてきた。
【０００６】
本発明の目的は、より正確な復調信号を生成できる電波修正時計、制御方法及び制御プログラムを提供することである。
【課題を解決するための手段】
【０００７】
本発明の電波修正時計は、標準電波を受信して時刻を修正する電波修正時計であって、前記標準電波に基づく受信信号と、第１基準電圧、及び、当該第１基準電圧より電圧値が低い第２基準電圧との比較結果を出力する信号比較部と、前記信号比較部の比較結果に基づいて時刻信号を生成する時刻信号生成部と、を備え、前記時刻信号生成部は、前記受信信号の電圧が前記第２基準電圧以下の場合は、前記時刻信号をローレベルとし、前記受信信号の電圧が前記第２基準電圧以下の状態から上昇して当該第２基準電圧を超え、更に前記第２基準電圧を超えてから第１設定時間内に前記第１基準電圧を超えた場合は、前記第２基準電圧を超えたときから前記時刻信号をハイレベルとし、かつ、前記第１設定時間内に前記第１基準電圧を超えない場合は、前記時刻信号をローレベルに維持し、前記受信信号の電圧が前記第１基準電圧以上の場合は、前記時刻信号をハイレベルとし、前記受信信号の電圧が前記第１基準電圧以上の状態から低下して当該第１基準電圧を下回り、更に前記第１基準電圧を下回ってから第２設定時間内に前記第２基準電圧を下回った場合は、前記第１基準電圧を下回ったときから前記時刻信号をローレベルとし、かつ、前記第２設定時間内に前記第２基準電圧を下回らない場合は、前記時刻信号をハイレベルに維持することを特徴とする。
【０００８】
なお、時刻信号としては、例えば、ＴＣＯ信号を例示できる。また、第１設定時間及び第２設定時間は、それぞれ同じ時間としてもよく、また、回路特性等に基づいて、それぞれ異ならせてもよい。
本発明によれば、受信信号の電圧が第２基準電圧以下の場合、時刻信号生成部は、ローレベルの時刻信号を生成する。そして、受信信号の電圧が第２基準電圧以下の状態から上昇して当該第２基準電圧を超え、更に第１設定時間内に当該第２基準電圧より電圧値が高い第１基準電圧を超えた場合には、時刻信号生成部は、第２基準電圧を超えたときから電圧レベルをハイレベルにした時刻信号を生成する。また、受信信号の電圧が第２基準電圧を超えていない場合、及び、当該第２基準電圧を超えてから第１設定時間内に第１基準電圧を超えない場合には、時刻信号生成部は、電圧レベルがローレベルである時刻信号の生成を維持する。
【０００９】
これによれば、時刻信号のローレベルからハイレベルへの切替の判断は、第２基準電圧より高い第１基準電圧の比較結果に基づいて行われるので、ノイズによって受信信号が一時的に第２基準電圧を超えた場合に、時刻信号がハイレベルに切り替えられる誤検出を防止できる。これにより、時刻信号に不要なピークが生じることを抑制できる。
更に、生成される時刻信号の立ち上がり時（ローレベルからハイレベルへの切替時）を、受信信号が第２基準電圧を超えた時とするので、当該立ち上がり時を実際の信号に近いタイミングとすることができる。
【００１０】
一方、受信信号の電圧が第１基準電圧以上の場合、時刻信号生成部は、ハイレベルの時刻信号を生成する。そして、受信信号の電圧が第１基準電圧以上の状態から低下して当該第１基準電圧を下回り、更に第２設定時間内に第２基準電圧を下回った場合には、時刻信号生成部は、第１基準電圧を下回ったときから電圧レベルをローレベルにした時刻信号を生成する。また、受信信号の電圧が第１基準電圧を下回らない場合、及び、当該第１基準電圧を下回ってから第２設定時間内に第２基準電圧を下回らない場合には、時刻信号生成部は、電圧レベルがハイレベルである時刻信号の生成を維持する。
【００１１】
これによれば、時刻信号のハイレベルからローレベルへの切替の判断は、第１基準電圧より低い第２基準電圧の比較結果に基づいて行われるので、ノイズによって受信信号が一時的に第１基準電圧を下回った場合に、時刻信号がローレベルに切り替えられる誤検出を防止できる。これにより、時刻信号に信号割れが生じることを抑制できる。
更に、生成される時刻信号の立ち下がり時（ハイレベルからローレベルへの切替時）を、受信信号が第１基準電圧を下回った時とするので、当該立ち下がり時を実際の信号に近いタイミングとすることができる。
従って、実際の信号に近い、より正確な時刻信号を生成できる。
【００１２】
本発明では、前記信号比較部は、前記受信信号を前記第１基準電圧に基づいて二値化した第１信号と、前記受信信号を前記第２基準電圧に基づいて二値化した第２信号とを生成し、前記時刻信号生成部は、前記第１信号及び前記第２信号に基づいて、前記受信信号の電圧が前記第１基準電圧及び前記第２基準電圧を超えたか否か、並びに、当該受信信号の電圧が前記第１基準電圧及び前記第２基準電圧を下回ったか否かを判定するレベル判定部と、前記レベル判定部による判定結果に基づいて、前記時刻信号を生成して出力する信号出力部と、を有することが好ましい。
【００１３】
本発明によれば、信号比較部は、受信信号と第１基準電圧及び第２基準電圧との比較結果である第１信号と第２信号を出力するので、受信信号を基準電圧に基づいて二値化した信号を出力する従来の受信回路を利用できる。
また、レベル判定部の判定処理は、当該第１設定時間及び第２設定時間の経過を判定する必要がある。このような時間がパラメーターに含まれる判定処理は、演算処理装置が実装された制御回路により好適に処理できる。
従って、信号比較部を受信回路側に設け、レベル判定部及び信号出力部を制御回路に設けることにより、従来の電波修正時計の構成を利用することができ、当該電波修正時計の構成が複雑化することを抑制できる。
【００１４】
また、本発明の制御方法は、標準電波を受信して時刻を修正する電波修正時計を制御する制御方法であって、当該電波修正時計が、前記標準電波に基づく受信信号の電圧が第１基準電圧より低い第２基準電圧以下の場合は、ローレベルの時刻信号を生成し、前記受信信号の電圧が前記第２基準電圧以下の状態から上昇して当該第２基準電圧を超え、更に前記第２基準電圧を超えてから第１設定時間内に前記第１基準電圧を超えた場合は、前記第２基準電圧を超えたときから前記時刻信号をハイレベルとし、かつ、前記第１設定時間内に前記第１基準電圧を超えない場合は、前記時刻信号をローレベルに維持し、前記受信信号の電圧が前記第１基準電圧以上の場合は、ハイレベルの前記時刻信号を生成し、前記受信信号の電圧が前記第１基準電圧以上の状態から低下して当該第１基準電圧を下回り、更に前記第１基準電圧を下回ってから第２設定時間内に前記第２基準電圧を下回った場合は、前記第１基準電圧を下回ったときから前記時刻信号をローレベルとし、かつ、前記第２設定時間内に前記第２基準電圧を下回らない場合は、前記時刻信号をハイレベルに維持することを特徴とする。
本発明によれば、前述の電波修正時計と同様の効果を奏することができる。
【００１５】
また、本発明の制御プログラムは、標準電波を受信して時刻を修正する電波修正時計により実行される制御プログラムであって、前記電波修正時計に、前記標準電波に基づく受信信号の電圧が第１基準電圧より低い第２基準電圧以下の場合は、ローレベルの時刻信号を生成させ、前記受信信号の電圧が前記第２基準電圧以下の状態から上昇して当該第２基準電圧を超え、更に前記第２基準電圧を超えてから第１設定時間内に前記第１基準電圧を超えた場合は、前記第２基準電圧を超えたときから前記時刻信号をハイレベルとさせ、かつ、前記第１設定時間内に前記第１基準電圧を超えない場合は、前記時刻信号をローレベルに維持させ、前記受信信号の電圧が前記第１基準電圧以上の場合は、ハイレベルの前記時刻信号を生成させ、前記受信信号の電圧が前記第１基準電圧以上の状態から低下して当該第１基準電圧を下回り、更に前記第１基準電圧を下回ってから第２設定時間内に前記第２基準電圧を下回った場合は、前記第１基準電圧を下回ったときから前記時刻信号をローレベルとさせ、かつ、前記第２設定時間内に前記第２基準電圧を下回らない場合は、前記時刻信号をハイレベルに維持させることを特徴とする。
【００１６】
本発明によれば、電波修正時計が本発明の制御プログラムを処理することにより、前述の電波修正時計及び制御方法と同様の効果を奏することができる。
なお、本発明の制御プログラムは、半導体メモリーやディスク等の記録媒体に記録しておいてもよく、電波修正時計が当該制御プログラムを適宜読み込んで処理するように構成されていてもよい。
【図面の簡単な説明】
【００１７】
【図１】本発明の一実施形態に係る時計の構成を示すブロック図。
【図２】前記実施形態におけるＴＣＯ信号の生成処理を示すフローチャート。
【図３】前記実施形態おける理想信号、受信信号及び基準電圧、並びに、第１信号、第２信号及びＴＣＯ信号の波形を示す図。
【発明を実施するための形態】
【００１８】
［電波修正時計の全体構成］
以下、本発明の一実施形態について、図面に基づいて説明する。
図１は、本実施形態に係る時計１の構成を示すブロック図である。
本実施形態に係る時計１は、標準電波を受信して、当該標準電波に含まれるＴＣＯ（Time Code Out）信号を復調し、当該ＴＣＯ信号に基づいて内部時刻情報を修正する電波修正時計である。この時計１は、図１に示すように、アンテナ２、受信回路３、制御回路４及び表示手段５と、電源（図示省略）とを備えて構成されている。
【００１９】
これらのうち、アンテナ２は、受信回路３による制御の下、所定周波数の標準電波を受信し、当該標準電波に応じた受信信号を受信回路３に出力する。このアンテナ２は、本実施形態では、日本、イギリス、ドイツ、アメリカ及び中国の標準電波「ＪＪＹ」、「ＭＳＦ」、「ＤＣＦ７７」、「ＷＷＶＢ」及び「ＢＰＣ」を受信可能に構成され、当該アンテナ２が受信可能な周波数は、４０ｋＨｚ、６０ｋＨｚ、６８．５ｋＨｚ及び７７．５ｋＨｚである。
また、表示手段５は、時刻を表示する。このような表示手段５として、時刻をデジタル表示する場合には液晶、有機ＥＬ（Electroluminescence）及び電気泳動等の各種ディスプレイを採用でき、アナログ表示する場合には指針等を例示できる。
【００２０】
［受信回路の構成］
受信回路３は、受信手段３１及び復調手段３２を備えて構成されている。
受信手段３１は、詳しい図示を省略するが、同調回路、増幅回路、バンドパスフィルター及び包絡線検波回路を備えて構成されている。
同調回路は、アンテナ２ととともに並列共振回路を構成し、特定の周波数の電波をアンテナ２で受信させる。この同調回路により、アンテナ２は、前述の標準電波（例えば「ＪＪＹ」）を受信可能となる。増幅回路は、アンテナ２で受信した標準電波に基づく受信信号を増幅及び整流する。バンドパスフィルターは、受信信号をろ波し、当該受信信号から搬送波成分以外の成分（例えば、ノイズ成分）を除去する。包落線検波回路は、入力された受信信号を更に整流及びろ波して、得られた包絡線信号を復調手段３２に出力する。
【００２１】
復調手段３２は、本発明の信号比較部に相当し、受信手段３１から入力される受信信号（包落線信号）と基準電圧ＶＲＥＦ１，ＶＲＥＦ２との比較結果を、制御回路４に出力する。具体的に、復調手段３２は、受信信号を基準電圧ＶＲＥＦ１について二値化した第１信号（受信信号が基準電圧ＶＲＥＦ１を超えた場合はハイレベルとし、超えない場合はローレベルとした信号）と、受信信号を基準電圧ＶＲＥＦ２について二値化した第２信号（受信信号が基準電圧ＶＲＥＦ２を超えた場合はハイレベルとし、超えない場合はローレベルとした信号）とを生成する。そして、復調手段３２は、当該第１信号及び第２信号を制御回路４に出力する。
なお、基準電圧ＶＲＥＦ１は、本発明の第１基準電圧に相当し、当該基準電圧ＶＲＥＦ１の電圧値は、受信信号（包落線信号）がハイレベルにあるときの電圧値より低い。また、当該基準電圧ＶＲＥＦ１より電圧値が低い基準電圧ＶＲＥＦ２は、本発明の第２基準電圧に相当し、当該基準電圧ＶＲＥＦ２の電圧値は、当該受信信号がローレベルにあるときの電圧値より高い。
【００２２】
［制御回路の構成］
制御回路４は、ＣＰＵ（Central Processing Unit）等の演算処理装置を備えて構成され、時計１全体を制御する。例えば、制御回路４は、受信回路３の動作を制御する他、表示手段５に時刻等を表示させる。このような制御回路４は、発振手段４１、分周手段４２及び時刻修正手段４３を備える。
【００２３】
発振手段４１及び分周手段４２は、所定周波数の基準信号を生成及び出力する動作クロックとして構成されている。
具体的に、発振手段４１は、水晶振動子等の図示しない基準信号源が接続されており、当該発振手段４１は、基準信号源を高周波発振させ、当該高周波発振により発生する発振信号を分周手段４２に出力する。
分周手段４２は、入力される発振信号を分周する。この分周手段４２は、所定の基準信号（例えば、１Ｈｚのパルス信号）を、時刻修正手段４３に出力する。
【００２４】
時刻修正手段４３は、分周手段４２から入力される基準信号を用いて、内部時刻を計時する。また、時刻修正手段４３は、受信回路３から入力される第１信号及び第２信号に基づいて、ＴＣＯ信号（時刻信号）を生成し、当該ＴＣＯ信号から時刻情報を取得して、計時中の内部時刻を修正する。また、時刻修正手段４３は、修正された内部時刻を表示手段５に表示させる。
【００２５】
このような時刻修正手段４３は、レベル判定部４３２及び信号出力部４３３を有する時刻信号生成部４３１と、時刻情報取得部４３４と、計時部４３５と、記憶部４３６と、表示制御部４３７とを有する。
これらのうち、記憶部４３６は、フラッシュメモリー等により構成され、時刻修正手段４３の動作に必要な各種プログラム及び情報を記憶する。このようなプログラムとして、後述するＴＣＯ信号の生成処理を実行するための制御プログラムが記憶されている。また、記憶部４３６は、計時中の内部時刻についての情報である内部時刻情報を保持する。
【００２６】
レベル判定部４３２は、受信回路３から入力される第２信号の電圧レベルがローレベルであるか否か（すなわち、受信信号の電圧が基準電圧ＶＲＥＦ２以下であるか否か）、及び、第１信号の電圧レベルがハイレベルであるのか否か（すなわち、受信信号の電圧が基準電圧ＶＲＥＦ１以上であるか否か）を判定する。
また、レベル判定部４３２は、信号出力部４３３により生成されている時刻信号の現在の電圧レベルがローレベルであるのか否かを判定する。
【００２７】
更に、レベル判定部４３２は、当該時刻信号の電圧レベルがローレベルであるときに、第２信号の立ち上がり時（ローレベルからハイレベルへの切替時）を検出し、当該第２信号が立ち上がってから第１設定時間（例えば、２０ｍｓｅｃ）内に第１信号が立ち上がったか否かを判定する。この判定は、受信信号の電圧が基準電圧ＶＲＥＦ２以下の状態から上昇して当該基準電圧ＶＲＥＦ２を超え、更に第１設定時間内に基準電圧ＶＲＥＦ１を超えたか否かの判定と同じ意味である。
【００２８】
一方、レベル判定部４３２は、当該時刻信号の電圧レベルがハイレベルであるときに、第１信号の立ち下がり時（ハイレベルからローレベルへの切替時）を検出し、当該第１信号の立ち下がり時から第２設定時間（例えば、２０ｍｓｅｃ）内に第２信号が立ち下がったか否かを判定する。この判定は、受信信号の電圧が基準電圧ＶＲＥＦ１以上の状態から低下して当該基準電圧ＶＲＥＦ１を下回り、更に第２設定時間内に基準電圧ＶＲＥＦ２を下回ったか否かの判定と同じ意味である。
【００２９】
信号出力部４３３は、レベル判定部４３２による判定結果に基づいて、ＴＣＯ信号を生成し、生成したＴＣＯ信号を時刻情報取得部４３４に出力する。
具体的に、信号出力部４３３は、レベル判定部４３２により、第２信号がローレベルであると判定されると、電圧レベルがローレベルであるＴＣＯ信号を生成する。
この状態で、レベル判定部４３２により、第２信号が立ち上がってから第１設定時間内に第１信号が立ち上がったと判定されると、信号出力部４３３は、当該第２信号が立ち上がったときからＴＣＯ信号の電圧レベルをローレベルからハイレベルに切り替える。換言すると、受信信号の電圧が基準電圧ＶＲＥＦ２を超え、更に当該基準電圧ＶＲＥＦ２を超えてから第１設定時間内に基準電圧ＶＲＥＦ１を超えたと判定されると、信号出力部４３３は、当該受信信号の電圧が基準電圧ＶＲＥＦ２を超えたときからＴＣＯ信号の電圧レベルをローレベルからハイレベルに切り替える。
【００３０】
一方、レベル判定部４３２により、第２信号の立ち上がりが検出されていない場合（受信信号の電圧が基準電圧ＶＲＥＦ２を超えない場合）、及び、当該第２信号が立ち上がってから第１設定時間内に第１信号の立ち上がりがないと判定された場合（受信信号の電圧が基準電圧ＶＲＥＦ２を超えてから第１設定時間内に基準電圧ＶＲＥＦ１を超えない場合）には、信号出力部４３３は、ＴＣＯ信号の電圧レベルをローレベルに維持する。
【００３１】
また、信号出力部４３３は、レベル判定部４３２により、第１信号がハイレベルであると判定されると、電圧レベルがハイレベルであるＴＣＯ信号を生成する。
この状態で、レベル判定部４３２により、第１信号が立ち下がってから第２設定時間内に第２信号が立ち下がったと判定されると、信号出力部４３３は、当該第１信号が立ち下がったときからＴＣＯ信号の電圧レベルをハイレベルからローレベルに切り替える。換言すると、受信信号の電圧が基準電圧ＶＲＥＦ１を下回り、更に当該基準電圧ＶＲＥＦ１を下回ってから第２設定時間内に基準電圧ＶＲＥＦ２を下回ったと判定されると、信号出力部４３３は、当該受信信号の電圧が基準電圧ＶＲＥＦ１を下回ったときからＴＣＯ信号の電圧レベルをローレベルからハイレベルに切り替える。
【００３２】
一方、レベル判定部４３２により、第１信号の立ち下がりが検出されていない場合（受信信号の電圧が基準電圧ＶＲＥＦ１を下回らない場合）、及び、当該第１信号が立ち下がってから第２設定時間内に第２信号の立ち下がりがないと判定された場合（受信信号の電圧が基準電圧ＶＲＥＦ１を下回ってから第２設定時間内に基準電圧ＶＲＥＦ２を下回らない場合）には、信号出力部４３３は、ＴＣＯ信号の電圧レベルはハイレベルに維持する。
このようにして生成したＴＣＯ信号を、信号出力部４３３は、時刻情報取得部４３４に出力する。
【００３３】
時刻情報取得部４３４は、入力されるＴＣＯ信号から時刻情報を取得する。
計時部４３５は、前述の基準信号に基づいて内部時刻を計時する。この計時部４３５による内部時刻の計時は、記憶部４３６を利用して行われる。また、計時部４３５は、時刻情報取得部４３４により取得された時刻情報に基づいて、計時中の内部時刻を修正する。
表示制御部４３７は、記憶部４３６を参照して内部時刻を取得し、当該内部時刻が表示されるように、表示手段５の表示状態を制御する。
【００３４】
［ＴＣＯ信号の生成処理］
以下、受信信号に基づくＴＣＯ信号の生成処理について説明する。
図２は、ＴＣＯ信号の生成処理を示すフローチャートである。また、図３は、理想信号、受信信号及び復調信号の波形をそれぞれ示す図である。このうち、図３（Ａ）は理想信号Ｒ（元々の信号）の波形を示し、図３（Ｂ）は、当該理想信号Ｒに対応する受信信号の波形及び基準電圧ＶＲＥＦ１，ＶＲＥＦ２を示している。また、図３（Ｃ）及び（Ｄ）は、第１信号Ｄ１及び第２信号Ｄ２の波形をそれぞれ示し、図３（Ｅ）は、生成されるＴＣＯ信号Ｄ３の波形を示している。
【００３５】
時刻修正手段４３（時刻信号生成部４３１）は、前述のように、記憶部４３６に記憶された制御プログラムを読み取り、受信回路３から入力される第１信号Ｄ１及び第２信号Ｄ２に基づいて、受信信号に応じたＴＣＯ信号を生成する生成処理を実行する。
この生成処理では、図２及び図３に示すように、レベル判定部４３２が、第２信号Ｄ２の電圧レベルがローレベル（Ｌレベル）であるか否かを判定する（ステップＳ０１）。ここで、ローレベルであると判定されると、信号出力部４３３は、生成するＴＣＯ信号の電圧レベルをローレベルに設定する（ステップＳ０２）。この後、時刻信号生成部４３１は、処理をステップＳ０５に移行する。
【００３６】
一方、第２信号Ｄ２の電圧レベルがローレベルでないと判定されると、レベル判定部４３２は、第１信号Ｄ１の電圧レベルがハイレベル（Ｈレベル）であるか否かを判定する（ステップＳ０３）。ここで、ハイレベルであると判定されると、信号出力部４３３は、生成するＴＣＯ信号の電圧レベルをハイレベルに設定する（ステップＳ０４）。この後、時刻信号生成部４３１は、処理をステップＳ０５に移行する。
なお、ハイレベルでないと判定された場合には、適切な第２信号Ｄ２及び第１信号Ｄ１を取得できなかったと判断して、時刻修正手段４３は、処理をステップＳ０１に戻す。
【００３７】
ステップＳ０５では、レベル判定部４３２が、現在生成されているＴＣＯ信号Ｄ３の電圧レベルがローレベルであるか否かを判定する（ステップＳ０５）。
このステップＳ０５にて、当該電圧レベルがローレベルであると判定されると、レベル判定部４３２は、第２信号Ｄ２が立ち上がったか否か、すなわち、受信信号が基準電圧ＶＲＥＦ２を超えたか否かを判定する（ステップＳ０６）。
ここで、第２信号Ｄ２が立ち上がっていない（受信信号が基準電圧ＶＲＥＦ２を超えていない）と判定されると、信号出力部４３３は、ＴＣＯ信号Ｄ３の電圧レベルをローレベルに維持する（ステップＳ０７）。この後、時刻修正手段４３は、処理をステップＳ０５に戻す。
【００３８】
一方、ステップＳ０６にて、第２信号Ｄ２が立ち上がった（受信信号が基準電圧ＶＲＥＦ２を超えた）と判定されると、レベル判定部４３２は、当該第２信号Ｄ２が立ち上がってから前述の第１設定時間内に第１信号Ｄ１が立ち上がったか否かを判定する（ステップＳ０８）。すなわち、当該ステップＳ０８では、レベル判定部４３２により、受信信号の電圧が基準電圧ＶＲＥＦ２を超えてから第１設定時間内に基準電圧ＶＲＥＦ１を超えたか否かが判定される。
このステップＳ０８にて、第１設定時間内に第１信号Ｄ１が立ち上がっていない（第１設定時間内に受信信号の電圧が基準電圧ＶＲＥＦ１を超えていない）と判定されると、信号出力部４３３は、ステップＳ０７を実行し、ＴＣＯ信号Ｄ３の電圧レベルをローレベルに維持する（ステップＳ０７）。この後、時刻修正手段４３は、処理をステップＳ０５に戻す。
【００３９】
また、ステップＳ０８にて、第１設定時間内に第１信号Ｄ１が立ち上がった（第１設定時間内に受信信号の電圧が基準電圧ＶＲＥＦ１を超えた）と判定されると、信号出力部４３３は、第２信号Ｄ２の立ち上がり時（受信信号の電圧が基準電圧ＶＲＥＦ２を超えた時）からＴＣＯ信号Ｄ３の電圧レベルをハイレベルに切り替える（ステップＳ０９）。この後、時刻修正手段４３は、処理をステップＳ０５に戻す。
【００４０】
前述のステップＳ０５にて、ＴＣＯ信号Ｄ３の現在の電圧レベルがローレベルでない、すなわち、ハイレベルであると判定されると、レベル判定部４３２は、第１信号Ｄ１が立ち下がったか否か、すなわち、受信信号の電圧が基準電圧ＶＲＥＦ１を下回ったか否かを判定する（ステップＳ１０）。
ここで、第１信号Ｄ１が立ち下がっていない（受信信号の電圧が基準電圧ＶＲＥＦ１を下回っていない）と判定されると、信号出力部４３３は、ＴＣＯ信号Ｄ３の電圧レベルをハイレベルに維持する（ステップＳ１１）。この後、時刻修正手段４３は、処理をステップＳ０５に戻す。
【００４１】
一方、第１信号Ｄ１が立ち下がった（受信信号の電圧が基準電圧ＶＲＥＦ１を下回った）と判定されると、レベル判定部４３２は、当該第１信号Ｄ１が立ち下がってから前述の第２設定時間内に第２信号Ｄ２が立ち下がったか否かを判定する（ステップＳ１２）。すなわち、ステップＳ１２では、レベル判定部４３２により、受信信号の電圧が基準電圧ＶＲＥＦ１を下回ってから第２設定時間内に基準電圧ＶＲＥＦ２を下回ったか否かが判定される。
このステップＳ１２にて、第２設定時間内に第２信号Ｄ２が立ち下がっていない（第２設定時間内に受信信号の電圧が基準電圧ＶＲＥＦ２を下回らない）と判定されると、信号出力部４３３は、ステップＳ１１を実行し、ＴＣＯ信号Ｄ３の電圧レベルをハイレベルに維持する（ステップＳ１１）。この後、時刻修正手段４３は、処理をステップＳ０５に戻す。
【００４２】
また、ステップＳ１２にて、第２設定時間内に第２信号Ｄ２が立ち下がった（第２設定時間内に受信信号の電圧が基準電圧ＶＲＥＦ２を下回った）と判定されると、信号出力部４３３は、第１信号Ｄ１の立ち下がり時（受信信号の電圧が基準電圧ＶＲＥＦ１を下回った時）からＴＣＯ信号Ｄ３の電圧レベルをローレベルに切り替える（ステップＳ１３）。この後、時刻修正手段４３は、処理をステップＳ０５に戻す。
以上のＴＣＯ信号Ｄ３の生成処理は、標準電波が受信され、第１信号Ｄ１及び第２信号Ｄ２が入力されている間、繰り返し実行される。
【００４３】
［ＴＣＯ信号の波形］
ここで、理想信号Ｒの波形と、第１信号Ｄ１、第２信号Ｄ２及び生成されたＴＣＯ信号Ｄ３の各波形とを比較する。
図３（Ｂ）に示す受信信号及び基準電圧ＶＲＥＦ２に基づいて生成された第２信号Ｄ２の波形（図３（Ｄ））と、理想信号Ｒの波形（図３（Ａ））とを比較した場合、当該理想信号Ｒの立ち上がり時Ｒ１，Ｒ２と、第２信号Ｄ２において対応する立ち上がり時Ｐ２１，Ｐ２２とは、それぞれ近いことが分かる。また、第２信号Ｄ２では、期間Ｐ２３のように、電圧レベルがハイレベルであるときのノイズの影響が小さい。
しかしながら、理想信号Ｒの立ち下がり時Ｒ３，Ｒ４と、第２信号Ｄ２において対応する立ち下がり時Ｐ２４，Ｐ２５とのずれ量が大きい。また、当該第２信号Ｄ２では、電圧レベルがローレベルであるときのノイズの影響が大きく、ピークＰ２６，Ｐ２７のような、理想信号Ｒには無いピークが生じ易い。
【００４４】
同様に、受信信号及び基準電圧ＶＲＥＦ１に基づいて生成された第１信号Ｄ１の波形（図３（Ｃ））と、理想信号Ｒの波形（図３（Ａ））とを比較した場合、当該理想信号Ｒの立ち下がり時Ｒ３，Ｒ４と、第１信号Ｄ１において対応する立ち下がり時Ｐ１１，Ｐ１２とは、それぞれ近いことが分かる。また、当該第１信号Ｄ１では、電圧レベルがローレベルであるときのノイズの影響（前述の不要なピークが生じる影響）が小さい。
しかしながら、理想信号Ｒの立ち上がり時Ｒ１，Ｒ２と、第１信号Ｄ１において対応する立ち上がり時Ｐ１３，Ｐ１４とのずれ量が大きい。また、当該第１信号Ｄ１では、電圧レベルがハイレベルであるときのノイズの影響が大きく、期間Ｐ１５でのような信号割れが生じ易い。
【００４５】
これに対し、上記生成処理により生成されたＴＣＯ信号Ｄ３の波形（図３（Ｅ））と、理想信号Ｒの波形（図３（Ａ））とを比較した場合、当該理想信号Ｒの立ち上がり時Ｒ１，Ｒ２と、ＴＣＯ信号Ｄ３において対応する立ち上がり時Ｐ３１，Ｐ３２とは、それぞれ近いことが分かる。また、理想信号Ｒの立ち下がり時Ｒ３，Ｒ４と、ＴＣＯ信号Ｄ３において対応する立ち下がり時Ｐ３３，Ｐ３４とは、同様にそれぞれ近いことが分かる。
更に、ＴＣＯ信号Ｄ３の波形では、前述のピークＰ２６，Ｐ２７のような、電圧レベルがローレベルであるときのノイズによるピークは生じにくく、また、前述の期間Ｐ１５で生じたような、電圧レベルがハイレベルであるときのノイズによる信号割れが生じにくいことが分かる。
このように、上記生成処理により、より正確なＴＣＯ信号Ｄ３を生成できる。そして、これにより、正確な時刻情報を速やかに取得できる。
【００４６】
［実施形態の効果］
以上説明した本実施形態に係る時計１によれば、以下の効果がある。
時刻信号生成部４３１の信号出力部４３３により生成されるＴＣＯ信号Ｄ３のローレベルからハイレベルへの切替は、基準電圧ＶＲＥＦ２より高い基準電圧ＶＲＥＦ１との比較結果に基づいて行われるので、受信信号の電圧が基準電圧ＶＲＥＦ２よりローレベルであるときのノイズの影響を抑制できる。従って、ＴＣＯ信号Ｄ３にピークＰ２６，Ｐ２７のような不要なピークが生じることを抑制できる。
また、ＴＣＯ信号Ｄ３の立ち上がり時Ｐ３１，Ｐ３２を、受信信号の電圧が基準電圧ＶＲＥＦ２を超えた時とするので、当該立ち上がり時Ｐ３１，Ｐ３２を理想信号Ｒの立ち上がり時Ｒ１，Ｒ２に近い位置とすることができる。
【００４７】
一方、ＴＣＯ信号Ｄ３のハイレベルからローレベルへの切替は、基準電圧ＶＲＥＦ１より低い基準電圧ＶＲＥＦ２との比較結果に基づいて行われるので、受信信号の電圧が基準電圧ＶＲＥＦ１よりハイレベルであるときのノイズの影響を抑制できる。従って、生成されるＴＣＯ信号Ｄ３に期間Ｐ１５で生じたような信号割れが生じることを抑制できる。
また、ＴＣＯ信号Ｄ３の立ち下がり時Ｐ３３，Ｐ３４を、受信信号の電圧が基準電圧ＶＲＥＦ１を下回った時とするので、当該立ち下がり時Ｐ３３，Ｐ３４を理想信号Ｒの立ち下がり時Ｒ３，Ｒ４に近い位置とすることができる。
このように、理想信号Ｒに近い、より正確なＴＣＯ信号を生成できる。
【００４８】
信号比較部としての復調手段３２は、受信回路３を構成する。このため、当該復調手段３２が、受信信号を基準電圧ＶＲＥＦ１について二値化した第１信号Ｄ１と、当該受信信号を基準電圧ＶＲＥＦ２について二値化した第２信号Ｄ２との２つの信号を出力する構成は、受信信号を基準電圧について二値化した信号を出力する一般的な受信回路の構成を利用できる。
また、レベル判定部４３２の判定処理では、当該第１設定時間及び第２設定時間の経過を判定する必要がある。このレベル判定部４３２は、ＣＰＵ等の演算処理装置を備えて構成される制御回路４に設けられているので、時間をパラメーターとする判定処理を好適に実施できる。
従って、従来の電波修正時計の構成を利用することができ、本実施形態に係る時計１の構成が複雑化することを抑制できる。
【００４９】
［実施形態の変形］
本発明は前述の実施形態に限定されるものではなく、本発明の目的を達成できる範囲での変形、改良等は本発明に含まれるものである。
前記実施形態では、信号比較部としての復調手段３２が、受信信号の二値化信号である第１信号Ｄ１及び第２信号Ｄ２を出力し、レベル判定部４３２が、当該第１信号Ｄ１及び第２信号Ｄ２に基づいて、受信信号の電圧が基準電圧ＶＲＥＦ２，ＶＲＥＦ１を超えたか否か、及び、当該電圧が基準電圧ＶＲＥＦ１，ＶＲＥＦ２を下回ったか否かを判定するとした。しかしながら、本発明はこれに限らない。すなわち、信号比較部が出力する比較結果は、当該第１信号Ｄ１及び第２信号Ｄ２の形式でなくともよい。例えば、信号比較部が、受信信号の電圧が基準電圧ＶＲＥＦ１，ＶＲＥＦ２を超えた旨、及び、下回った旨を示す制御信号を、時刻信号生成部にそれぞれ出力し、当該制御信号に基づいて、時刻信号生成部が時刻信号を生成するように構成してもよい。
【００５０】
前記実施形態では、２つの基準電圧ＶＲＥＦ１，ＶＲＥＦ２を用いたが、本発明はこれに限らない。例えば、３つ以上の基準電圧と受信信号とを比較する構成としてもよい。例えば、受信信号の立ち上がり時（ＴＣＯ信号のローレベルからハイレベルへの切替時）を判定する際に利用される２つの基準電圧と、当該受信信号の立ち下がり時（ＴＣＯ信号のハイレベルからローレベルへの切替時）を判定する際に利用される２つの基準電圧とは、それぞれ異なる電圧値の基準電圧としてもよい。また、立ち上がり時の判定に利用される２つの基準電圧の一方と、立ち下がり時の判定に利用される２つの基準電圧の一方とが異なるようにしてもよい。
【００５１】
前記実施形態では、第１設定時間及び第２設定時間を、それぞれ２０ｍｓｅｃとしたが、本発明はこれに限らない。すなわち、当該各設定時間は、回路特性や、受信される標準電波の種類（例えば、当該種類に応じたタイムコードにおける「Ｐ」、「１」及び「０」の各信号のデューティ比等）に基づいて適宜設定可能である。また、第１設定時間及び第２設定時間は、同じでなくともよく、それぞれ異なる値としてもよい。
【００５２】
前記実施形態では、受信回路３は、時計１に採用される形態を例示したが、本発明はこれに限らない。例えば、タイマー録画を行う記録装置や、携帯電話等に内蔵される時計に、本発明を適用してもよい。
前記実施形態では、アンテナ２及び受信回路３は、日本、イギリス、ドイツ、米国及び中国の標準電波「ＪＪＹ」、「ＭＳＦ」、「ＤＣＦ７７」、「ＷＷＶＢ」及び「ＢＰＣ」を受信可能に構成されるとしたが、本発明はこれに限らない。すなわち、これら標準電波のうち、少なくともいずれかを受信可能に構成されていればよい。更に、他の標準電波を受信可能に構成してもよく、或いは、これら標準電波に代えて当該他の標準電波を受信可能に構成してもよい。
【００５３】
前記実施形態では、ＴＣＯ信号の生成処理を実行する際に読み込まれる制御プログラムは、フラッシュメモリーにより構成された記憶部４３６に記憶されているとしたが、本発明はこれに限らない。例えば、他の形式の半導体メモリーやディスク等の記録媒体に記録されていてもよい。
前記実施形態では、制御回路４（時刻修正手段４３）は、ＣＰＵ等を有し、前述の制御プログラムを実行することにより、ＴＣＯ信号の生成処理を実施するとしたが、本発明はこれに限らない。すなわち、当該プログラムを実行する演算処理回路を用いない回路として構成してもよい。
【符号の説明】
【００５４】
１…時計（電波修正時計）、３２…復調手段（信号比較部）、４３１…時刻信号生成部、４３２…レベル判定部、４３３…信号出力部、Ｄ１…第１信号、Ｄ２…第２信号、Ｄ３…ＴＣＯ信号（時刻信号）、ＶＲＥＦ１…基準電圧（第１基準電圧）、ＶＲＥＦ２…基準電圧（第２基準電圧）。
【図１】
2012163360.tif 000003
【図２】
2012163360.tif 000004
【図３】
2012163360.tif 000005